(57)【要約】【課題】電力利用料金に関わる正確な時間帯情報の取得を簡単な構成で実現して、電力利用料金を正確に積算できる電気式給湯機システムを提供する。【解決手段】電気式給湯機システムは、電力量計１０に設けられ、昼間時間帯の電力消費量を積算する昼間メーター１５および深夜時間帯の電力消費量を積算する夜間メーター１６の少なくともいずれか一方の積算開始に同期するとともに、夜間メーター１６の積算に切り替わる時を電気式給湯機２０に知らせる所定の積算切替信号を商用電源に重畳させる信号発生回路１２を備えている。給湯機用制御回路であるマイコン２２は信号発生回路１２によって重畳された所定の積算切替信号を検出することにより、深夜時間帯を判別する。これにより、電力利用料金の正確な積算が実施される。【選択図】図１
2009092270.tif 000002
【特許請求の範囲】
【請求項１】
遠隔操作装置（３０）に設けられた遠隔操作用制御回路（３１）と電気式給湯機（２０）の運転を制御する給湯機用制御回路（２２）とが通信可能に接続され、商用電源が電力量計（１０）を介して前記電気式給湯機（２０）に供給されるように構成されて深夜時間帯の深夜電力を利用した沸き上げ運転を行う電気式給湯機システムであって、
前記電力量計（１０）に設けられ、昼間時間帯の電力消費量を積算する昼間メーター（１５）および深夜時間帯の電力消費量を積算する夜間メーター（１６）の少なくともいずれか一方の積算開始に同期するとともに、前記夜間メーター（１６）の積算に切り替わる時を前記電気式給湯機（２０）に知らせる所定の積算切替信号を前記商用電源の出力波形に重畳させる信号発生回路（１２）を備え、
前記給湯機用制御回路（２２）は前記信号発生回路（１２）によって重畳された前記所定の積算切替信号を検出することにより、前記深夜時間帯を判別することを特徴とする電気式給湯機システム。
【請求項２】
前記信号発生回路（１２）は、前記昼間メーター（１５）または前記夜間メーター（１６）のいずれかの積算中に、前記所定の積算切替信号を前記商用電源の出力波形に重畳させることを特徴とする請求項１に記載の電気式給湯機システム。
【請求項３】
前記給湯機用制御回路（２２）は、前記信号発生回路（１２）によって重畳された前記所定の積算切替信号を、前記信号発生回路（１２）によって出力された前記商用電源の出力波形から求められる周波数に基づいて検出することを特徴とする請求項１に記載の電気式給湯機システム。
【請求項４】
前記信号発生回路（１２）は、交流２００Ｖの商用電源にのみ前記所定の積算切替信号を重畳させることを特徴とする請求項１から３のいずれか一項に記載の電気式給湯機システム。
【発明の詳細な説明】
【技術分野】
【０００１】
本発明は、特定の時間帯に湯を沸き上げ、割安な電力利用料金を正確に積算することができる電気式給湯機システムに関する。
【背景技術】
【０００２】
従来の電気式給湯機システムとして特許文献１に記載の装置が知られている。この電気式給湯機システムは、リモートコントローラが給湯機本体を介して電力量計に対して時刻データの送信要求を行うと電力量計が自身の有する時刻データを給湯機本体に送信し、給湯機本体が電力量計の時刻データにより自身の時刻データを修正するとともにリモートコントローラに電力量計の時刻データを送信し、リモートコントローラが受信した時刻データにより自身の時刻データを修正するように構成されている。
【特許文献１】特開２００４−２３９５２６号公報
【発明の開示】
【発明が解決しようとする課題】
【０００３】
しかしながら、上記特許文献１に記載の電気式給湯機システムにおいては、リモートコントローラ側からの電力計に対する時刻データ送信要求を実施するために専用通信回路や専用通信線が必要となるため、製造コストの増加や施工性の低下が問題となっている。
【０００４】
そこで、本発明は上記問題点に鑑みてなされたものであり、その目的は、電力利用料金に関わる正確な時間帯情報の取得を簡単な構成で実現して電力利用料金を正確に積算できる電気式給湯機システムを提供することを目的とする。
【課題を解決するための手段】
【０００５】
上記目的を達成するために以下の技術的手段を採用する。すなわち、第１の発明は、遠隔操作装置（３０）に設けられた遠隔操作用制御回路（３１）と電気式給湯機（２０）の運転を制御する給湯機用制御回路（２２）とが通信可能に接続され、商用電源が電力量計（１０）を介して電気式給湯機（２０）に供給されるように構成されて深夜時間帯の深夜電力を利用した沸き上げ運転を行う電気式給湯機システムに係る発明であって、
電力量計（１０）に設けられ、昼間時間帯の電力消費量を積算する昼間メーター（１５）および深夜時間帯の電力消費量を積算する夜間メーター（１６）の少なくともいずれか一方の積算開始に同期するとともに、夜間メーター（１６）の積算に切り替わる時を電気式給湯機（２０）に知らせる所定の積算切替信号を商用電源の出力波形に重畳させる信号発生回路（１２）を備え、
給湯機用制御回路（２２）は信号発生回路（１２）によって重畳された所定の積算切替信号を検出することにより、深夜時間帯を判別することを特徴としている。
【０００６】
この発明によれば、電力量計の有する正確な時刻データを給湯機側に送信するための専用通信線等が不要にできるとともに、さらに３線式の電源線１本によって積算切替信号の送信と商用電源の供給が行えるので、コスト面および施工性に顕著な効果があり、簡単な通信構成を有し、電力利用料金の正確な積算を実施できる電気式給湯機システムを提供できる。
【０００７】
また、信号発生回路（１２）は、昼間メーター（１５）または夜間メーター（１６）のいずれかの積算中に、上記所定の積算切替信号を商用電源の出力波形に重畳させることが好ましい。
【０００８】
この発明によれば、給湯機用制御回路は深夜時間帯の判別が容易に行えて、確実に正確な深夜時間帯の判別が実行できるとともに判別に要する処理手順も簡単化し、プログラム設計の優位性が向上する。
【０００９】
また、給湯機用制御回路（２２）は、信号発生回路（１２）によって重畳された所定の積算切替信号を、信号発生回路（１２）によって出力された商用電源の出力波形から求められる周波数に基づいて検出することが好ましい。この発明によれば、昼間メーターの積算中と夜間メーターの積算中のそれぞれの出力波形を周波数の差によって判別することができ、重畳させる積算切替信号の選択幅が広がる。
【００１０】
また、信号発生回路（１２）は、交流２００Ｖの商用電源にのみ上記所定の積算切替信号を重畳させることが好ましい。この発明によれば、積算切替信号によるノイズの影響を交流１００Ｖ用機器に与えることなく、簡単な通信経路を構成でき、電力利用料金の正確な積算を実施できる。
【００１１】
なお、上記各手段の括弧内の符号は、後述する実施形態の具体的手段との対応関係を示す一例である。
【発明を実施するための最良の形態】
【００１２】
（第１実施形態）
本発明の一実施形態である第１実施形態を図１〜図６にしたがって説明する。図１は本実施形態における電気式給湯機システムの構成を示した概略図である。図１に示すように、第１実施形態に係る電気式給湯機システムは、遠隔操作装置３０、電気式給湯機２０および電力量計１０から構成されている。本電気式給湯機システムは、電力量計１０が商用電源１の出力波形に重畳させた信号によって深夜電力時間帯に切り替わる時を電気式給湯機２０に知らせ、電気式給湯機２０が当該信号によって正確な深夜時間帯を判別することにより、正確な電力利用料金の積算を行うものである。
【００１３】
電気式給湯機２０は、給湯機本体と、各種センサ２５の検出値および遠隔操作装置３０からの指令に基づいて給湯機本体の各機器を制御する制御基板２１と、を備えている。電気式給湯機２０による湯の沸き上げ運転は、ヒートポンプ方式、ガスや石油等燃料を燃焼する燃焼方式等の種々の方式で実施することができるが、本実施形態では冷媒として臨界温度の低い二酸化炭素を使用するヒートポンプサイクルを有したヒートポンプユニットにより行うものとする。このヒートポンプサイクルは、圧縮機、加熱手段としての水・冷媒熱交換器、減圧器および蒸発器が接続されて閉回路で構成されている。
【００１４】
ヒートポンプユニットは、水・冷媒熱交換器の冷媒流路を流れる高温高圧の冷媒と、水・冷媒熱交換器の水流路を流れる水との間で熱交換を行うことにより、温水を沸き上げる。ヒートポンプサイクルを超臨界ヒートポンプで構成した場合には、一般的なヒートポンプサイクルよりも高温、例えば、８５℃〜９０℃程度の湯を貯湯タンク内に蓄えることができる。電気式給湯機２０は、このヒートポンプサイクルによって、主に料金設定の安価な深夜時間帯の深夜電力を利用して貯湯タンク内の湯を沸き上げる運転を行う。深夜時間帯の沸き上げ運転は貯湯タンク内に貯まっている温水が不足しているとき等に行われる。
【００１５】
給湯機本体は、ヒートポンプユニットと、沸き上げた湯を蓄える貯湯タンクと、この貯湯タンクに水を供給する給水管と、貯湯タンク内の湯を建物の給湯用水栓等に供給する給湯管と、貯湯タンクへの給水および貯湯タンクからの給湯を制御する制御弁等の各負荷部品２６と、貯湯タンク内の貯湯量、貯湯タンク内外の湯温や圧力等を検出する各種センサ２５と、を備えている。
【００１６】
制御基板２１には、電源回路２４と、給湯機用制御回路であるマイクロコンピュータ２２（以下、マイコン２２と称する）と、停電を検知する停電検知回路２３とが備えられている。電源回路２４は、商用電源１から電力量計１０を介して供給される交流電流を直流に変換し、高電圧を低電圧に変換するトランスおよびスイッチング電源を備えている。マイコン２２は、マイクロプロセッサと、プログラムやデータが書き込まれているＲＯＭと、給湯機本体の動作情報、各種センサ２５の検出値、遠隔操作装置３０や電力量計１０からの命令情報等の入出力を行う入出力ポートと、これらの各種情報等を一時的に保持するＲＡＭと、を備えている。
【００１７】
遠隔操作装置３０は、建物内部の壁面等に設置されており、遠隔操作用制御回路であるマイクロコンピュータ３１（以下、マイコン３１と称する）と、ユーザーが要求する運転を設定するための操作ボタン等からなる操作部３２と、時計機能３３と、液晶画面で構成される表示部３４とを有している。
【００１８】
操作部３２は、電源入切ボタン、入力ボタン、選択ボタン、設定（決定）ボタン等から構成されており、例えば、沸き上げ温度、沸き上げ湯量、沸き上げ開始時刻、沸き上げ終了時刻等を設定することができるようになっている。
【００１９】
マイコン３１は、電気式給湯機２０のマイコン２２と相互に送受信可能に接続されている。マイコン３１は、遠隔操作装置３０の操作部３２により設定された各種指令をマイコン２２に送信し、逆にマイコン２２から指令を受け付けた許可信号および現在の電気式給湯機２０の各種情報を受信し、マイコン３１のＲＡＭに保持する。表示部３４には、操作部３２の入力状態がマイコン３１の入力設定プログラムに基づいて表示される。
【００２０】
時計機能３３は、マイコン３１のＲＯＭに記憶されている時間計測プログラムとマイコン３１自身が記憶した時刻データに基づいている。また時計機能３３は、操作部３２により入力された情報、例えば現在の日時時刻、設定または修正しようとしている日時時刻、設定しようとする沸き上げ開始時刻や終了時刻等を表示部３４に確認的に表示する。
【００２１】
時計機能３３の時刻データは、電力量計１０が商用電源電流に重畳させた信号によって、電気式給湯機２０が深夜時間帯を判別したときに、マイコン２２から正確な時刻情報を受信したマイコン３１によって正しく書き換え可能である。これにより、電力量計１０とマイコン２２，３１の時刻データが一致することになる。
【００２２】
電気式給湯機２０に対して商用電源を給電する電力量計１０は、商用電源１から延びる電源線から供給される交流２００Ｖの電流と、交流１００Ｖの電流の電力消費量を積算する。電力量計１０は、この電力消費量を積算する積算用回路と、この積算用回路に接続されるマイクロコンピュータ１１（以下、マイコン１１と称する）と、昼間時間帯の電力消費量を積算して表示する昼間メーター１５と、深夜電力時間帯の電力消費量を積算して表示する夜間メーター１６と、表示部１３と、時計機能１４と、電気式給湯機２０側に供給する商用電源１の出力波形に所定の積算切替信号を重畳させる信号発生回路１２と、を備えている。
【００２３】
昼間メーター１５、夜間メーター１６、表示部１３、時計機能１４および信号発生回路１２はそれぞれマイコン１１に接続されている。マイコン１１は、各電力消費量を積算する積算プログラムと、時計機能１４を実現する時計プログラムとを備えている。
【００２４】
積算プログラムは、交流１００Ｖの電流、交流２００Ｖの電流の積算用回路からの電力消費量を積算して、昼間時間帯の電力消費量を昼間メーター１５に出力し、深夜時間帯の電力消費量を夜間メーター１６に出力し、さらにこれらの電力消費量をマイコン１１のＲＡＭ等に書き込む。
【００２５】
電力量計１０は、時計プログラムを動作させるための基準時刻データを備える。基準時刻データはマイコン１１に記録されおり、電力量計１０の設置時にマイコン１１に設定されるものである。
【００２６】
信号発生回路１２は、商用電源電流を電気式給湯機２０の電源回路２４に供給する商用電源線経路の途中に配されており、昼間時間帯、深夜時間帯等において供給される商用電源１の出力波形に対して所定の積算切替信号を重畳させ、電力利用料金の積算が異料金に切り替わるタイミングを電気式給湯機２０に知らせる。
【００２７】
具体的には、信号発生回路１２は、昼間メーター１５もしくは夜間メーター１６のいずれか一方、または両方について電力消費量を積算し始めるときに交流２００Ｖの商用電源に同期して動作を開始し、さらに昼間メーター１５から夜間メーター１６の積算に切り替わる時を知らせる所定の積算切替信号を商用電源の出力波形に重畳させる。信号発生回路１２は、商用電源線によって電源回路２４および停電検知回路２３に接続されている。所定の積算切替信号を重畳させた商用電源電流は、電源回路２４および停電検知回路２３に入力される。
【００２８】
停電検知回路２３は入力された商用電源１の出力波形にパルス波が検出されないときは、停電が発生していることを検知してマイコン２２に停電発生信号を送信し、マイコン２２は電気式給湯機２０の運転を瞬時に停止する。さらに停電検知回路２３は停電状態でない場合の商用電源信号の波形をマイコン２２に非停電検知信号として送信し、マイコン２２は非停電検知信号を受信する。マイコン２２は、上記所定の積算切替信号が検出された場合には夜間時間条件が満たされたとして深夜時間帯であると判別してＲＡＭの時間情報を正しく書き換え、深夜時間帯に応じた深夜電力利用の沸き上げ運転を実行する。
【００２９】
次に、上記構成における電気式給湯機システムの作動について説明する。図２は電気式給湯機２０の制御基板２１における制御の流れを示したフローチャートである。図２に示すように、遠隔操作装置３０により電気式給湯機２０への電源供給が指令され、おまかせ運転等の自動制御運転が指令されると、自動制御フローがスタートし、停電検知回路２３に入力された商用電源１の出力波形にパルス波を検出したか否かが判断される（ステップ１０）。
【００３０】
ステップ１０において、パルス波が検出されないと判断されると、ステップ１００に進み、停電状態であることを知らせるためマイコン２２に停電発生信号が送信され、マイコン２２は電気式給湯機２０の運転を瞬時に停止する停電処理を実行する。この停電検知処理は、停電検知回路２３によって常に実行され、不測の停電時に停電処理およびユーザーへの停電報知等が実行される。
【００３１】
ステップ１０の処理は、停電検知回路２３がパルス波を検出するまで繰り返し実行される。ステップ１０において、パルス波の存在が検出されると、ステップ２０に進み、マイコン２２は、停電検知回路２３から非停電検知信号として送信された商用電源信号の波形について周波数を分析する。この周波数の分析において１００Ｈｚ以上の周波数が検出されず５０Ｈｚまたは６０Ｈｚの周波数が検出された場合は、通常の商用電源周波数を有する出力波形が供給されていると判断して、ステップ２００で通常の自動運転処理を実行し、再びステップ１０に戻る。
【００３２】
一方、マイコン２２は、ステップ２０の周波数の分析において、例えば１００Ｈｚ以上の周波数が一定時間以上連続して検出した場合には、さらにステップ３０で上記所定の積算切替信号が重畳されているか否かを判定する。
【００３３】
ここで所定の積算切替信号が重畳した商用電源１の出力波形がどのような波形であるかを図３を用いて説明する。図３は、重畳処理がなされた商用電源１の出力波形の第１形態を示しており、電力量計１０からの商用電源１の出力波形と、停電検知回路２３の出力信号の波形とを示した図である。図３において、上方に示した波形は電力量計１０の出力波形、つまり信号発生回路１２が発生する波形であり、下方に示した波形は信号発生回路１２の発した波形を停電検知回路２３によって処理した波形である。
【００３４】
上方に示した波形において、正弦波の部分は積算切替信号が重畳されていない波形を示し、波形の山部および谷部に矩形波がみられる部分は積算切替信号が重畳されている波形を示している。また下方に示した波形において、パルス波の部分は積算切替信号が重畳されていない波形を示し、パルス波の中央部に凹んだ矩形波がみられる部分は積算切替信号が重畳されている波形を示している。
【００３５】
信号発生回路１２は、各メーター１５，１６の積算開始時刻に所定の積算切替信号を重畳させるものであり、所定の積算切替信号はリレー等の遮断手段を制御して、片方の商用電源電圧に対して所定間隔の断続運転を所定時間実施することにより生成される。この所定時間は、図３において重畳信号と示されている時間であり、昼間時間帯と夜間時間帯とで異なった時間となるようにすることにより、マイコン２２は両時間帯を確実に判別でき、正確な深夜時間帯が判別可能となる。
【００３６】
マイコン２２は、ステップ３０の判定処理において、夜間時間条件（深夜時間帯条件）を満たしていると判定した場合には夜間メーター１６の積算開始を検出して深夜時間帯を判別し、正確な深夜時間帯を取得して記憶する。そしてマイコン２２は、取得した深夜時間帯に基づいて正確に深夜時間帯を反映させた自動制御を実行することにより、沸き上げ運転を割安な深夜電力を利用して実施する（ステップ４０の夜間時間処理）。そして、再びステップ１０に戻る。
【００３７】
逆にマイコン２２は、ステップ３０の判定処理において、夜間時間条件（深夜時間帯条件）を満たしていないと判定した場合には昼間メーター１５の積算開始を検出して昼間時間帯を判別し、正確な昼間時間帯を取得して記憶する（ステップ３５の昼間時間処理）。そして、再びステップ１０に戻る。
【００３８】
ステップ３０における夜間時間条件が満たされた場合とは、マイコン２２に入力された出力波形から所定の積算切替信号が検出された場合である。例えば、図３の所定時間の重畳信号のようにマイコン２２が予め記憶している判定時間を超える重畳信号が検出された場合である。また、夜間時間条件を満たす場合の他の例として、マイコン２２に入力された出力波形から検出される周波数に基づいて判断してもよい。
【００３９】
例えば、マイコン２２に入力された出力波形から所定周波数以上の周波数が検出されれば、夜間メーター１６の積算開始を検出して深夜時間帯を判別し、所定周波数未満の周波数が検出されれば、昼間メーター１５の積算開始を検出して昼間時間帯を判別する。また、上記所定の積算切替信号の検出を周波数に基づいて行うことにより、様々形態の積算切替信号を重畳させることができ、その選択幅が広がる。
【００４０】
また、上記第１形態の商用電源１の出力波形（図３）は、図４に示す第２形態の出力波形としてもよい。図４において、上方に示した波形は電力量計１０の出力波形、つまり信号発生回路１２が発生する波形であり、下方に示した波形は信号発生回路１２の発した波形を停電検知回路２３によって処理した波形である。
【００４１】
図４に示す出力波形は、先の図３に示す出力波形に対して、積算切替信号が重畳されている部分の波形の山部および谷部に数多くの矩形波がみられる点が異なっている。これに対応して停電検知回路２３の出力波形においても、先の図３に示す出力波形に対して、数多くの幅の短い矩形波がみられるようになっている。図４に示す第２形態の出力波形は、このような形状であることから、上記第１形態の出力波形よりも周波数が大きくなっている。このことから、図２のステップ３０の判定処理において、上記周波数に基づいた判断が明確になるという利点がある。
【００４２】
さらに、上記第１形態および第２形態の商用電源１の出力波形は、図５に示す第３形態の出力波形としてもよい。図５において、上方に示した波形は電力量計１０の出力波形、つまり信号発生回路１２が発生する波形であり、下方に示した波形は信号発生回路１２の発した波形を停電検知回路２３によって処理した波形である。
【００４３】
この第３形態の出力波形は、信号発生回路１２が昼間メーター１５の積算中に片方の商用電源電圧を所定間隔の断続運転し続け、夜間メーター１６の積算開始時にはこの断続運転を停止し通常の商用電源の出力波形とすることにより生成される。つまり、信号発生回路１２は、昼間メーター１５のみについて電力消費量を積算し始めるときに交流２００Ｖの商用電源に同期して動作を開始し、さらに夜間メーター１６の積算に切り替わる時を知らせる所定の積算切替信号を商用電源の出力波形に重畳させている。このように両メーター１５，１６の積算中における断続運転の有無により、マイコン２２は両時間帯を確実に判別でき、正確な深夜時間帯が判別可能となる。
【００４４】
また、上述の実施形態において商用電源として使用される交流２００Ｖ電圧と交流１００Ｖ電圧については、図６に示すように、交流２００Ｖの出力波形にのみ上記所定の積算切替信号を重畳させるものとする。これにより、交流１００Ｖ用機器に対して、機器の作動の不具合となるようなノイズを印加することも回避できるとともに、交流２００Ｖ用機器である電気式給湯装置に対して正確な深夜時間帯を提供することができる。
【００４５】
以上のように本実施形態の電気式給湯機システムは、電力量計１０に設けられ、昼間時間帯の電力消費量を積算する昼間メーター１５および深夜時間帯の電力消費量を積算する夜間メーター１６の少なくともいずれか一方の積算開始に同期するとともに、夜間メーター１６の積算に切り替わる時を電気式給湯機２０に知らせる所定の積算切替信号を商用電源に重畳させる信号発生回路１２を備えている。給湯機用制御回路であるマイコン２２は信号発生回路１２によって重畳された所定の積算切替信号を検出することにより、深夜時間帯を判別する。
【００４６】
この構成により、電力量計１０の有する正確な時刻データを給湯機側に送信するための専用通信線等が不要で、コスト面、施工面等に優れているとともに、電力利用料金の正確な積算を実施できる電気式給湯機システムを提供できる。特に、電力量計と給湯機とが赤外線により通信するシステムにおいては、商用電源の積算切替信号を重畳させる構成のため、これらの設置場所による通信遮断の問題を考慮する必要がない汎用性の高いシステムを提供できる。また、商用電源に積算切替信号を重畳させる交流電源重畳方式としたことにより、積算切替信号の送信と商用電源の供給を３線式の電源、通信共用ケーブル１本で構成することができるので、コスト面および施工性が格段に向上する。
【００４７】
（その他の実施形態）
以上、本発明の好ましい実施形態について説明したが、本発明は上述した実施形態に何ら制限されることなく、本発明の主旨を逸脱しない範囲において種々変形して実施することが可能である。
【００４８】
例えば、上記実施形態では、電気式給湯機２０は、給湯機用制御回路であるマイコン２２が信号発生回路１２によって重畳された所定の積算切替信号を検出することにより、深夜時間帯を判別して、正確な深夜時間帯に深夜電力を利用した沸き上げ運転を行うことを説明しているが、マイコン２２が所定の積算切替信号を検出して深夜時間帯を判別した場合に、制御基板２１に備えられた時計機能を正確な時刻に書き換えるように構成してもよい。
【００４９】
この場合には、信号発生回路１２によって商用電源に重畳させられた所定の積算切替信号が検出される毎に、マイコン２２は電気式給湯機２０の時刻データを正確な時刻に書き換えることにより、常に深夜電力を利用した沸き上げ運転が行われる。
【図面の簡単な説明】
【００５０】
【図１】本発明の一実施形態である第１実施形態における電気式給湯機システムの構成を示した概略図である。
【図２】第１実施形態の電気式給湯機における制御処理の流れを示したフローチャートである。
【図３】第１実施形態において電力量計から出力される商用電源の波形と、電気式給湯機の停電検知回路の出力信号の波形とを示した図である。
【図４】図３に示した両波形の他の形態を示した図である。
【図５】図３に示した両波形のさらに他の形態を示した図である。
【図６】第１実施形態において電力量計から出力される商用電源の波形を示しており、（ａ）は交流２００Ｖ波形であり、（ｂ）は交流１００Ｖ波形である。
【符号の説明】
【００５１】
１０…電力量計
１２…信号発生回路
１５…昼間メーター
１６…夜間メーター
２０…電気式給湯機
２２…マイコン（給湯機用制御回路）
３０…遠隔操作装置
【図１】
2009092270.tif 000003
【図２】
2009092270.tif 000004
【図３】
2009092270.tif 000005
【図４】
2009092270.tif 000006
【図５】
2009092270.tif 000007
【図６】
2009092270.tif 000008